(57)【要約】【課題】  建物で消費する電力を発電できて建物の省エネルギ化を有効に達成できる建物の庇を提供すること。【解決手段】  建物の開口部の上部に配設される建物用シャッター１の不動部材であるシャッターボックス３に庇２０を着脱自在に取り付け、この庇２０に太陽電池２２を配置し、プラグ２６とコンセント２４で接続される庇側電気配線２５とシャッターボックス側電気配線２３により、太陽電池２２で発電した電力を建物の内部に送る。【選択図】  図３
2005042543.tif 000002
【特許請求の範囲】
【請求項１】
建物の不動部材に着脱自在に取り付け可能となっていることを特徴とする建物の庇。
【請求項２】
請求項１に記載の建物の庇において、太陽電池を備えていることを特徴とする建物の庇。
【請求項３】
請求項１に記載の建物の庇において、多数の太陽電池からなる太陽電池パネルが着脱自在に取り付け可能となっていることを特徴とする建物の庇。
【請求項４】
請求項２又は３に記載の建物の庇において、前記太陽電池から延びる庇側電気配線を備え、この庇側電気配線には、前記不動部材側に配線されている不動部材側電気配線の第１接続部材に対して接続、分離自在であって接続されることにより前記庇側電気配線と前記不動部材側電気配線とを電気導通状態とする第２接続部材が設けられ、前記不動部材への着脱時に第１接続部材に対して第２接続部材が接続、分離自在になっていることを特徴とする建物の庇。
【請求項５】
請求項１〜４のいずれかに記載の建物の庇において、前記不動部材は建物付設物であることを特徴とする建物の庇。
【請求項６】
請求項５に記載の建物の庇において、前記建物付設物は建物用シャッター構成部材であることを特徴とする建物の庇。
【請求項７】
請求項６に記載の建物の庇において、前記建物用シャッター構成部材はシャッターボックスであり、このシャッターボックスに庇ブラケットを介して取り付けられることを特徴とする建物の庇。
【発明の詳細な説明】
【技術分野】
【０００１】
本発明は、建物の庇に関する。
【背景技術】
【０００２】
近年、住宅等の建物において、環境問題の解決や消費エネルギコストの低減等の観点から省エネルギ化の要請が高まっている。この省エネルギ化を図る一つの方策として、建物に光電変換作用を有する太陽電池を取り付け、この太陽電池により自家消費電力の一部または全部を発電することが行われるようになってきている。このような太陽電池は、従来、建物の屋根や外壁に取り付けられていた。屋根、外壁は大面積を有しているため、多数の太陽電池を配置する場所としては好適である。
【発明の開示】
【発明が解決しようとする課題】
【０００３】
しかし、益々環境問題の解決や消費エネルギコストの低減を一層図ることが要求されるようになってきており、このためには、太陽電池を屋根や外壁以外の場所にも取り付けることが求められる。太陽電池を屋根や外壁以外の場所に取り付けるにあたり、建物外で発電されて建物内で消費される電力を低減することが可能になり、これにより一層有効に省エネルギ化を図り得るようにすることが望ましい。
【０００４】
本発明の目的は、建物で消費する電力を発生させることができるとともに、省エネルギ化を有効に達成できるようになる建物の庇を提供するところにある。
【課題を解決するための手段】
【０００５】
本発明に係る建物の庇は、建物の開口部の上部に配設され、太陽電池を備えていることを特徴とするものである。
【０００６】
本発明では、庇に太陽電池が配置されているため、庇を建物で消費する電力の発生場所とすることができるようになる。また、庇は、本来、建物に形成されている窓等の前記開口部から入射する太陽光線を遮り、これより夏季等における冷房効率を向上させるためのものであるため、庇により冷房機の消費電力を低減させつつ、庇において建物で消費する電力を発生させることが可能になり、これにより、建物の省エネルギ化を有効に達成できるようになる。
【０００７】
以上のように庇に太陽電池が配置された建物は、屋根や外壁に太陽電池が取り付けられていてもよく、取り付けられていなくてもよい。
【０００８】
太陽電池を配置する庇の箇所は上面や側面、前面等の太陽光線を受けることが期待できる箇所であり、これらのうちの一箇所だけに太陽電池を配置してもよく、複数箇所に配置してもよい。
【０００９】
また、太陽電池で発電された電気を自家用や売電用とするために必要な蓄電池、交流変換器等の電気機器は建物の内部に設置してもよいが、これらの一部または全部を庇の内部に設置してもよく、さらに、太陽電池で発電された電気または一般の商用電源からの電気を使用する防犯灯等の照明器具や電気器具を庇に設けてもよい。
【００１０】
さらに、庇は建物の不動部材に取り外し不能に取り付けられてもよく、着脱自在に取り付け可能となっていてもよい。庇が不動部材に着脱自在に取り付け可能になっていると、それぞれの建物の所有主等により太陽電池を備えた庇を希望する場合と、この庇を希望しない場合とがあっても、それぞれの希望に応えることができるようになる。
【００１１】
ここでいう建物の不動部材とは、例えば、建物自体を構成している柱、梁、壁材等の部材でもよく、建物に取り付けられているサッシや建物用シャッター等の建物付設物でもよい。また、これらのサッシや建物用シャッター等に太陽電池を配置してもよい。
【００１２】
庇を建物の不動部材に着脱自在に取り付け可能とした場合には、庇に配置された太陽電池から建物の内部に延びる電気回路は、太陽電池が配置された庇を不動部材に取り付けるごとに配線作業を行うようにしてもよいが、庇を庇側電気配線を備えるものとし、この庇側電気配線には、不動部材側に配線されている不動部材側電気配線の第１接続部材に対して接続、分離自在であって接続されることにより庇側電気配線と不動部材側電気配線とを電気導通状態とする第２接続部材を設け、不動部材への庇の着脱時に第１接続部材に対して第２接続部材を接続、分離自在とすることが好ましい。
【００１３】
このように構成した場合には、太陽電池が配置された庇を建物の不動部材に取り付ける作業を行うときに、自ずと第１接続部材と第２接続部材とを接続できるため、庇側電気配線と不動部材側電気配線とを導通状態にさせて太陽電池で発生させた電気を建物の内部に配置されている交流変換器等の所定の電気機器に送るための電気回路を自動的に形成できるようになり、作業の簡単化を達成できるようになる。そして、太陽電池が配置されている庇を建物の不動部材から取り外したときには、自ずと第１接続部材と第２接続部材を分離できるため、前記不動部材側電気配線に対する前記庇側電気配線の切断を容易に行える。
【００１４】
庇が取り付けられる建物の不動部材が建物用シャッターである場合において、この建物用シャッターのシャッターカーテンが格納されるシャッターボックスとシャッターカーテンの開閉動作を案内するガイドレールとを含む不動の建物用シャッター構成部材に庇を取り付けるようにした場合には、建物用シャッター構成部材に庇を取り付ける作業は、シャッターボックスやガイドレール等を住宅等の建物の建設現場で建物に取り付けた後に行ってもよく、また、シャッターボックス等を生産する工場で予め行ってもよい。建物用シャッター構成部材への庇の取付作業を建物の建設現場で行うようにした場合には、庇を建物用シャッター構成部材から分離した状態で工場から建設現場に運ぶことができるため、搬送時等における取扱性が良好になる。
【００１５】
そして、庇を建設現場で建物用シャッター構成部材に取り付けるようにした場合には、庇全体を工場で予め組み立てて建設現場へ搬入してもよく、また、庇を複数の部材からなるものとし、これらの部材の全部または一部を建物用シャッター構成部材に取り付けながら建設現場で庇および／または建物用シャッターの部材同士を組み合わせることにより、庇を建設現場で完成させるようにしてもよい。
【００１６】
後者の一例は、庇を、建物用シャッター構成部材に取り付けられる左右両端部のブラケットと、これらのブラケットで支持される庇本体とを含んで形成することである。
【００１７】
庇をこのように構成した場合には、住宅等の建物が市街地や都心部の狭小敷地において隣地境界線に近接して建設され、このため、小型化、コンパクト化されたシャッターボックスを建物に取り付ける作業のための幅の狭い足場を隣地境界線近くに設置することはできるが、この庇代わりとなっているシャッターボックスから突出する大きさを有する庇を直接的に建物用シャッター構成部材に取り付ける作業のための幅の大きな足場を隣地境界線近くに設置することができない場合であっても、建物へのシャッターボックスの取付作業が終わった後、先ず、例えば、窓等の開口部の養生した枠に命綱をつけた作業者が載るなどして左右両端部のブラケットを建物用シャッター構成部材に取り付け、次いでこれらのブラケットに庇本体を支持させて取り付ける作業を行うことにより、幅の広い足場を使用することなく、建設現場での庇の取付作業を終了することができる。
【００１８】
このような作業手順は、ブラケットが庇を構成する部材になっておらず、ブラケットが庇から独立した部材として用意される場合にも実施できる。
【００１９】
建物用シャッターのシャッターボックスから突出して建物に配置される庇は、この庇に設けられた太陽電池で効率的に発電できるようにすることが望ましいため、建物における庇の配置方角と太陽光線の方角とに基づき、庇は、例えば、シャッターボックスから建物の室外方向にのみ突出するものでもよく、また、この室外方向と、室外方向と直角の方向（左右両方向か、左右のうちの一方向）との両方の方向に突出するものでもよく、さらに、室外方向と直角の方向（左右両方向か、左右のうちの一方向）にのみ突出するものでもよい。
【００２０】
また、庇は、突出方向途中またはその基端部において上下方向に折れ曲がり自在となっていてもよく、また、建物用シャッター構成部材に上下回動自在に取り付けられていて、任意な角度で固定できるようになっていてもよく、さらに、庇はその突出方向に伸縮自在、長さ調整自在となっていてもよい。
【００２１】
庇がこのようになっていると、開口部から室内に入る太陽光線の量を調整できるようになり、建物の居住者や使用者の好みに応じた庇による日陰状態を作り出すことができる。また、建物が建てられている緯度に応じて開口部から室内に入る太陽光線の量が変化することになるため、庇が上述のように折れ曲がり自在、回動自在になっていたり、突出方向に伸縮自在、長さ調整自在になっていると、この緯度の違いにも対応できるようになる。
【００２２】
さらに、庇を建物用シャッターのシャッターボックスからの突出量を有するものとするとともに、この庇を不動の建物用シャッター構成部材に着脱自在に取り付け可能としてもよい。
【００２３】
このように庇が建物用シャッター構成部材に着脱自在に取り付け可能になっていると、シャッターボックスからの突出量や突出方向が異なる複数の庇を予め用意しておくことにより、建物用シャッターを取り付ける開口部の上下寸法、左右寸法等に応じて建物用シャッター構成部材に取り付ける庇を選択できるようになり、これにより、上下寸法、左右寸法等が異なる各種の開口部に対して対応できるようになること、庇が取り付けられたシャッターボックス、ガイドレール等の建物用シャッター構成部材の清掃作業やメインテナンス作業を容易に行えるようになること、建物のそれぞれの方角における窓等の開口部に設けられた建物用シャッターについて、庇の取り付けが必要な建物用シャッターと、必要でない建物用シャッターとを選択し、必要な建物用シャッターだけに庇を取り付けることができるようになることを実現できる。
【００２４】
このように突出量や突出方向が異なる複数の庇を予め用意し、これらの庇を着脱自在とすることは、庇が取り付けられる相手を建物用シャッター構成部材とするのではなく、建物の柱、梁、壁部材、サッシ等の不動部材としたときにも実施できる。
【００２５】
また、庇を建物用シャッター構成部材に着脱自在に取り付け可能とすることは、手動式建物用シャッターと自動式建物用シャッターの両方に適用できる。
【００２６】
また、この建物用シャッターは、シャッターカーテンが多数のスラットを連設することにより形成され、このシャッターカーテンがシャッターボックスの巻取部に巻き取られて格納されるタイプの建物用シャッターでもよく、また、この建物用シャッターは、シャッターカーテンが複数のパネルを連設することにより形成され、このシャッターカーテンがシャッターボックスに個々のパネルが分離されかつ重ねられて格納され、または個々のパネルが連結状態のまま折り畳まれて格納されるタイプの建物用シャッター、シャッターカーテンを形成する多数のブレードが垂直、水平と姿勢を変えることにより開口部の前面を遮蔽、開放し、これらのブレードが上下に重ねられてシャッターボックスに格納されるタイプの建物用シャッター、シャッターカーテンがリンク部材で互いに連結された複数のパイプ部材で形成されている建物用シャッター、さらには、これらのシャッターカーテンの他に、シャッターカーテンが開口部を開放しているときに、開口部の前面を日除けのために覆うロールスクリーンをも備えている建物用シャッターでもよく、また、左右寸法の大きな出入口等の開口部に左右方向に複数個が連装されるようになっている建物用シャッターでもよい。
【００２７】
また、庇の内部にはロールスクリーンを引き出し自在に格納し、引き出したこのロールスクリーンで太陽光線が建物の開口部から室内に入射するのを阻止するようにしてもよい。
【発明の効果】
【００２８】
本発明によると、建物の室内に入る太陽光線を遮断するための庇に太陽電池を配置したため、建物の電気についての省エネルギ化を有効に達成できるようになる。
【発明を実施するための最良の形態】
【００２９】
以下に本発明の実施形態を図面に基づいて説明する。図１は、第１実施形態に係る庇２０が取り付けられた建物用シャッター１の正面図で、図２はその庇２０の建物用シャッター１への取り付け前の分解斜視図、図３は庇２０を含めた建物用シャッター１の上部側面図である。図１に示すように、建物用シャッター１は、建物の窓等の開口部２の上部に取り付けられたシャッターボックス３と、このシャッターボックス３の内部に配置された巻取部４と、この巻取部４に繰り出し自在に巻き取られているシャッターカーテン５と、開口部２の左右両側に垂直に延設固定されてシャッターカーテン５の左右端部が摺動自在に挿入され、巻取部４から繰り出されて開口部２を開閉するシャッターカーテン５の上下動を案内するガイドレール６とを含んで構成されている。
【００３０】
図２に示すようにシャッターボックス３は、左右両側のボックスブラケット７と、これらのブラケット７で保持されるボックス本体８とを含んで形成されている。ブラケット７は、垂直面部７Ａと、この垂直面部７Ａの全周から本体８側へ延出した縁片部７Ｂとからなり、両方のブラケット７の縁片部７Ｂを建物にビス９で固定するとともに、これらのブラケット７に巻取部４を架設するなどの所定の作業を行った後、板金の折り曲げで形成されている本体８を両方のブラケット７の縁片部７Ｂに当てがい、そして縁片部７Ｂに本体８をビスで止めることにより、シャッターボックス３が組み立てられる。
【００３１】
図２、図３に示すように、建物用シャッター１の不動部材であるシャッターボックス３には、左右の庇ブラケット２１により庇２０が着脱自在に取り付けられ、この庇２０の上面には、多数の太陽電池２２で形成された所定寸法の太陽電池パネルが取り付けられている。庇ブラケット２１は、シャッターボックス３のボックスブラケット７の垂直面部７Ａ、言い換えるとシャッターボックス３の側面に当てがわれる側面部２１Ａと、この側面部２１Ａの上端からシャッターボックス３の上面と平行に延びる上面部２１Ｂとからなる正面形状逆Ｌ字状である。
【００３２】
庇２０は、シャッターボックス３と同じ左右寸法を有するとともに、シャッターボックス３の上面に載せられる後部２０Ａと、シャッターボックス３から前方（建物の室外方向）へ突出する前部２０Ｂとからなり、後部２０Ａと前部２０Ｂとの間は、シャッターボックス３の前面と対面する段差部２０Ｃとなっている。
【００３３】
シャッターボックス３の内部には不動部材側電気配線であるシャッターボックス側電気配線２３が組み込まれ、この電気配線２３は建物の内部まで延びているとともに、太陽電池２２で発生させた電力を自家用として消費するために建物の内部に配置されているダイオード、蓄電池、交流変換器、さらに売電とするために配置されている逆潮装置等の電気機器に接続されている。また、この電気配線２３のシャッターボックス３側の端部には第１接続部材であるコンセント２４が設けられ、このコンセント２４はシャッターボックス３の前面上部に配置されている。
【００３４】
このようなシャッターボックス側電気配線２３は、前述の通りボックスブラケット７とボックス本体８とでシャッターボックス３が建物の建設現場で組み立てられるときに、建設現場で配線される。
【００３５】
庇２０の内部には庇側電気配線２５が組み込まれ、この電気配線２５は太陽電池２２から延びており、その先端には、コンセント２４に接続、分離自在である第２接続部材としてのプラグ２６が設けられ、対をなすこれらのコンセント２４とプラグ２６とにより、太陽電池２２で発電された電力をシャッターボックス３側からシャッターボックス３を経て建物の内部に供給するための電気回路のコネクタが形成されている。
【００３６】
庇２０をシャッターボックス３に取り付ける作業は建物の建設現場で行われ、この取り付け作業を行うためには、先ず図２で示されているビス２７で庇ブラケット２１の上面部２１Ｂを庇２０に取り付け、次いで庇２０の後部２０Ａをシャッターボックス３の上面に載せてから、ビス２８で庇ブラケット２１の側面部２１Ａをシャッターボックス３の側面に固定し、あるいは、ビス２８で庇ブラケット２１の側面部２１Ａをシャッターボックス３の側面に取り付けた後、庇２０の後部２０Ａをシャッターボックス３の上面に載せながら、この後部２０Ａを庇ブラケット２１の上面部２１Ｂの下に入れ、この上面２１Ｂにビス２７で庇２０の上面を止める。
【００３７】
いずれの作業方法を行う場合においても、庇２０の後部２０Ａをシャッターボックス３の上面に載せたときに庇２０の段差部２０Ｃはシャッターボックス３の前面と対面するため、庇２０側のプラグ２６とシャッターボックス３側のコンセント２４とを自ずと接続させることができ、したがって庇側電気配線２５とシャッターボックス３側電気配線２３とは自動的に導通状態となる。
【００３８】
この実施形態によると、建物の開口部２の上部、具体的には建物用シャッター１のシャッターボックス３に配設された庇２０に光電変換作用で発電する太陽電池２２が配置されているため、庇２０を電力の発生場所とすることができるようになる。特に、庇２０は開口部２から建物の室内に入る太陽光線を遮るものであるため、夏季等に使用する冷房機の消費電力を庇２０で低減しつつこの消費電力の全部または一部を庇２０で発生させることができるようになり、この結果、建物全体の省エネルギ化を有効に達成できるようになる。
【００３９】
また、庇２０はシャッターボックス３に取り外し不能に取り付けられているのではなく、庇ブラケット２１を介して着脱自在にシャッターボックス３に取り付け可能になっているため、建物の所有主等の希望に応じて、太陽電池２２を備えた庇２０をシャッターボックス３に取り付けることと、この庇２０をシャッターボックス３に取り付けないこととを建物の建築中や建築後に選択できるようになり、また、太陽電池２２を備えた庇２０について、シャッターボックス３からの突出量の異なる各種の庇を予め用意し、建物の建築中や建築後にこれらの中からシャッターボックス３に取り付ける庇を選択することにより、室内に入射する太陽光線の量を設定できるようになる。
【００４０】
また、太陽電池２２を備えた庇２０にはプラグ２６が設けられ、シャッターボックス３にはこのプラグ２６が接続、分離自在となっているコンセント２４が設けられているため、庇ブラケット２１で庇２０をシャッターボックス３に取り付ける作業を行うと、自ずとプラグ２６とコンセント２４との接続を行えることになり、このため、太陽電池２２で発生した電力を建物の内部に供給するための前記電気回路を形成する作業を簡単に行える。
【００４１】
なお、シャッターボックス３に庇が取り付けられないときのため、シャッターボックス３の表面に露出しているコンセント２４に被せるカバー部材と、ビス２７，２８を挿通させるために形成されているシャッターボックス３のビス孔を塞ぐを蓋部材とを用意し、これらのコンセント２４、ビス孔からのシャッターボックス３内への雨水、塵埃等の侵入を防ぐようにする。
【００４２】
図４、図５は、上面に太陽電池３２が配置された第２実施形態に係る庇３０を示す。この庇３０は、図５に示すように前記実施形態の庇２０よりも前後寸法が短く、かつ、シャッターボックス３に左右の庇ブラケット３１で取り付けられたときに、シャッターボックス３の上面と連続する上面を有している。
【００４３】
庇ブラケット３１は、前方へ延びる前方延出部３３と、この前方延出部３３の後部から上方へ延びる上方延出部３４とからなり、前方延出部３３は、庇３０の側面に当てがわれる側面部３３Ａと、庇３０が載せられる下面部３３Ｂとを有し、上方延出部３４は、シャッターボックス３の側面に当てがわれる側面部３４Ａと、シャッターボックス３の前面に当てがわれる前面部３４Ｂとを有する。
【００４４】
シャッターボックス３の内部には、前記実施形態と同様に建物の内部まで延びるシャッターボックス側電気配線３５が組み込まれ、この電気配線３５の端部にはシャッターボックス３の前面に配置されたコンセント３６が設けられている。また、庇３０の内部には太陽電池３２から延びる庇側電気配線３７が組み込まれており、この電気配線３７の先端にはプラグ３８が設けられ、プラグ３８は、庇３０がシャッターボックス３に庇ブラケット３１で取り付けられたときにシャッターボックス３の前面と対面することになる庇３０の後面３０Ａに配置されている。また、庇３０の後面３０Ａの少なくとも上辺部と左右側辺部とには、この後面３０Ａがシャッターボックス３の前面と対面したときに圧縮されて雨仕舞する弾性的な防水シール部材３９が取り付けられている。
【００４５】
この実施形態では、庇ブラケット３１の上方延出部３４をビス４２，４３でシャッターボックス３に固定した後、庇３０をビス４０，４１で庇ブラケット３１の前方延出部３３に取り付けることができるため、庇ブラケット３１を介して庇３０がシャッターボックス３に着脱自在に取り付け可能となり、また、庇３０を庇ブラケット３１を介してシャッターボックス３に取り付けたとき、プラグ３８とコンセント３６は自ずと接続され、太陽電池３２で発生した電力を建物の内部に配置された交流変換器等の電気機器に送るための電気回路が自動的に形成される。そして、庇３０とシャッターボックス３との対面部は、防水シール部材３９で防水構造となる。
【００４６】
図６は、第３実施形態に係る庇５０を示す。この庇５０は、シャッターボックス３の上面に載せられる上部５０Ａと、この上部５０Ａの前端から垂直下方に延び、シャッターボックス３の前面を覆う前部５０Ｂとを有する側面ほぼ逆Ｌ字状である。上部５０Ａの上面と前部５０Ｂの前面とに太陽電池５２が配置され、また、庇５０の左右両端部にはシャッターボックス３の側面に当てがわれる縁片部５０Ｃが設けられている。
【００４７】
シャッターボックス３の内部には、建物の内部まで達するシャッターボックス側電気配線５３が組み込まれ、この電気配線５３の端部にはシャッターボックス３の前面に配置されたコンセント５４が設けられ、庇５０の内部には太陽電池５２から延びる庇側電気配線５５が組み込まれ、この電気配線５５の先端にはプラグ５６が設けられ、プラグ５６は、庇５０がシャッターボックス３に取り付けられたときにシャッターボックス３の前面と対面する庇５０の前部５０Ｂの後面に配置されている。
【００４８】
この実施形態では、縁片部５０Ｃをシャッターボックス３の側面に当てがってからこの縁片部５０Ｃをビス５７でシャッターボックス３の側面に止める構造になっているため、この実施形態でも、庇５０はシャッターボックス３にビス５７で着脱自在に取り付け可能となっており、また、この取り付け時にプラグ５６とコンセント５４は自ずと接続されて太陽電池５２で発電した電力を建物の内部の電気機器に供給する電気回路が形成されるようになっている。
【００４９】
そして庇５０は、シャッターボックス３の前面から前方へ突出した前部５０Ｂの厚さ分だけ建物の開口部に対する庇機能を有している。
【００５０】
図４、図５の第２実施形態と図６の第３実施形態においても、図１〜図３の実施形態と同じく、建物用シャッター１のシャッターボックス３から突出する庇３０，５０に太陽電池３２，５２が配置されていること、これらの庇３０，５０はシャッターボックス３の着脱自在に取り付け可能になっていること、および、この取り付けを行うと、庇側電気配線３７，５５のプラグ３８，５６とシャッターボックス側電気配線３５，５３のコンセント３６，５４とを自ずと接続できることを達成できるため、第１実施形態と同じ効果を第２実施形態と第３実施形態でも得られる。
【００５１】
なお、第２実施形態と第３実施形態においても、シャッターボックス３に庇が取り付けられないときのため、コンセント３６，５４に被せるカバー部材と、ビス４２，４３，５７を挿通させるためにシャッターボックス３に形成したビス孔を塞ぐ蓋部材とを用意しておく。
【００５２】
以上説明した各実施形態では、太陽電池を備えた庇が建物用シャッターの不動部材となっているシャッターボックスに着脱自在に取り付け可能となっていたが、シャッターボックスを含む建物の不動部材に着脱自在に取り付け可能とすることは、太陽電池を備えていない庇についても適用できる。
【００５３】
すなわち、従来の建物用シャッターのシャッターボックスにも庇機能が付加されていたが、この庇機能は、シャッターボックスの一部を前方（室外の方向）に膨出させた庇部を形成することにより付加されており、このため、庇部はシャッターボックスの一部として形成されていたため、建物用シャッターが取り付けられる建物の開口部の上下寸法の大きさに適合した庇を建物に設けようとすると、開口部には上下寸法の大きさが異なる各種のものがあることから、開口部の上下寸法に合った膨出量の庇部を有する各種のシャッターボックスを製作しなければならなくなり、これに対して庇を建物用シャッターのシャッターボックスやガイドレールを含む建物の不動部材に着脱自在に取り付け可能にしておくとともに、シャッターボックスからの突出量が異なる複数の庇を予め用意しておくことにより、シャッターボックスを一種類に統一できて各種のシャッターボックスを製作する必要がなくなるという効果を得られるようになる。
【００５４】
このように太陽電池を備えない庇は、多数の太陽電池からなる太陽電池パネルが庇に着脱自在に取り付け可能になっている場合に、その太陽電池パネルが取り外されたときの庇であってもよく、太陽電池パネルが取り外し可能になっていてシャッターボックスからの突出量が異なっている複数の庇を予め用意しておくことにより、上述と同じ作用効果を得られる。なお、これらの庇には、太陽電池に接続されている電気配線を通すための孔や太陽電池パネルを止めるビスのためのビス孔が形成されているが、庇から太陽電池パネルを取り外したときにこれらの孔を塞ぐための蓋部材を用意しておく。
【図面の簡単な説明】
【００５５】
【図１】第１実施形態に係る庇が取り付けられた建物用シャッターの正面図である。
【図２】図１の庇が建物用シャッターに取り付けられる前を示す分解斜視図である。
【図３】図１の庇を含む建物用シャッターの上部側面図である。
【図４】第２実施形態に係る庇を示す図２と同様の図である。
【図５】第２実施形態に係る庇を示す図３と同様の図である。
【図６】第３実施形態に係る庇を示す図３と同様の図である。
【符号の説明】
【００５６】
１  建物用シャッター
２  開口部
３  シャッターボックス
５  シャッターカーテン
６  ガイドレール
２０，３０，５０  庇
２１，３１  庇ブラケット
２２，３２，５２  太陽電池
２３，３５，５３  不動部材側電気配線であるシャッターボックス側電気配線
２４，３６，５４  第１接続部材であるコンセント
２５，３７，５５  庇側電気配線
２６，３８，５６  第２接続部材であるプラグ
【図１】
2005042543.tif 000003
【図２】
2005042543.tif 000004
【図３】
2005042543.tif 000005
【図４】
2005042543.tif 000006
【図５】
2005042543.tif 000007
【図６】
2005042543.tif 000008